(57)【要約】      （修正有）【課題】現在問題視されている原子力発電所の早期全廃及び環境問題などで火力発電所もいずれ全廃しても、自然エネルギー活用のみで電力需給を賄う発電方法を提供する。【解決手段】電力で駆動する発電機（電力発電機）を、従来の水力発電及び風力発電、地熱発電及び太陽光発電の発電機以降の適切な箇所へ設置して、使用箇所へ送電していた電力の一部を電力発電機へ送電して電力発電機を駆動させ、送電した以上の電力を電力発電機で新たに発電し、さらに変電設備で電圧調整などを行い、使用できる電力として、その電力も使用箇所へ送電する。【選択図】図１
2015039254.tif 000002
【特許請求の範囲】
【請求項１】
（１）自然エネルギー活用により発電され使用箇所へ送電する電力の一部を、新たに設置の電力発電機へ送り電力発電機を駆動させ大規模電力を発電させ送電するという電力供給方法。
（２）既に設置されている発電機から電力発電機への接続方法として、変電設備を経由させる及び直接送電するはどちらも含まれるものとするとともに、電力発電機で発電以降、使用側へ変電設備を経由させるも直接送電するも府決まれるものとする。
（３）家庭用の小型太陽光発電機に電力発電機を搭載するも含まれるものとする。
【発明の詳細な説明】
【技術分野】
【０００１】  本発明は、水力発電及び風力発電、地熱発電及び太陽光発電といった自然エネルギーを活用しての大規模発電に関する。
【背景技術】
【０００２】  現在稼働中の、水力発電は水流の力を利用して発電、風力発電は風の力を利用して発電、地熱発電は地球内部の高熱を利用して発電、太陽光発電は太陽光線を電力に変換して発電、その後、その発電した電力は変電設備で電圧を上げ、家庭など各使用箇所へ送電している。
【先行技術文献】
【特許文献】
【０００３】
【非特許文献】
【０００４】
【非特許文献１】「四国電力ホームページ  水力発電の仕組み」
【非特許文献２】「南あわじ市ホームページ  風力発電のしくみ」
【非特許文献３】「富士電機株式会社ホームページ  特集・地熱発電の拡大」
【非特許文献４】「四国電力ホームページ  太陽光発電の仕組み」
【非特許文献５】「電気事業連合会ホームページ  でんきの情報広場  火力発電と原子力発電の違い」
【発明の概要】
【発明が解決しようとする課題】
【０００５】  以上に述べた従来の自然エネルギーを活用した発電方法では、原子力発電及び火力発電のような大規模発電をすることが出来ないながら、発電した電力を再利用することなく一般使用箇所へ送電している。【０００６】  原子力発電は、安価で大規模発電が可能と言われるものの、使用済み燃料の最終処分には莫大な手間がかかってしまうとともに、チェルノブイリ原発事故や福島第一原発事故を見ての通り、事故が発生した際には広範囲に放射能汚染という事態が発生するため非常に危険であり、早期の全廃が求められている。【０００７】  火力発電所は、石油を燃料とすることにより地球温暖化の原因とされる二酸化炭素を多大に排出するとともに、原油はあと５０年で枯渇するとも言われている。
そのため、近年は二酸化炭素排出量の少ない液化天然ガスやメタンハイドレートを燃料としているものの、燃焼させることで二酸化炭素が発生する事実に変わりはなく、又、天然資源は埋蔵量に限りがある以上いずれ枯渇してしまうのは明らで、火力発電も早期に全廃することが望ましく、今後は自然エネルギーを活用しての大規模発電技術が全世界で求められると考えられる。【０００８】  本発明は、従来の永力発電及び風力発電、地熱発電及び太陽光発電により発電した電力の一部を使用して大規模電力を発電するもので、今後の必要電力は自然エネルギーを積極的に活用して発電した電力で賄うということの実現を目的としたものである。
【課題を解決するための手段】
【０００９】  電力で駆動する発電機（電力発電機）を製造して、その電力発電機を従来の水力発電及び風力発電、地熱発電及び太陽光発電の発電機以降の適切な箇所へ設置後、使用箇所へ送電していた電力の一部を電力発電機へ送電して電力発電機を駆動させ、送電した以上の電力を電力発電機で新たに発電して、変電設備で電圧調整するなど使用できる電力として、その電力も使用箇所へ送電する。
【発明の効果】
【００１０】  原子力発電及び火力発電で行われている、水蒸気でタービンを回転させ発電機を駆動させ発電するという従来の大規模発電方法と異なり、自然エネルギー活用により発電した電力の一部を電力発電機へ送り新たな電力を発電するため、物を動かす力は電力のほうが圧倒的に勝ることから発電機へ送る電力はわずかでも大規模発電が可能であり、以前に、従来の大規模発電方法である、発電機を駆動させるために水蒸気を発生させタービンを回転させるといった技術は必要としないため、従来の原子力発電及び火力発電で必要としていた燃料費は一切不要となり、現在上がり続けている電気使用料金を下げることが可能であり、使用者側の金銭負担が減少すれば余った金銭で物品購入が増え経済活性化が考えられる。【００１１】  既に設置されている、自然エネルギー活用により発電された電力を使用するため、発電所を新たに建設といった莫大な費用及び長い時間を必要とせず、又、原子力発電で問題となっている使用済み燃料棒の最終処分問題も解決するとともに、原子力規制庁の設立も不要となり、原子力安全委員も解散させて構わぬ状況となるため、多少なりとも国家予算の支出を抑えられる。【００１２】  現在、ヨーロッパ各国も脱原発思考であることから、新たな環境保全技術として日本から海外へ提案が可能で、又、備本発明に含まれる太陽光発電に電力発電機を設置して大規模発電をするという方法は、今後の宇宙開発でも活躍すると考えられる。
【発明を実施するための形態】
【００１３】  電力発電機及び変電設備といった必要設備は電気企業へ受注するとともに、設置は電気工事企業へ依頼する。
【手続補正書】
【提出日】平成25年3月11日(2013.3.11)
【手続補正１】
【補正対象書類名】明細書
【補正対象項目名】全文
【補正方法】変更
【補正の内容】
【発明の詳細な説明】
【技術分野】
【０００１】  本発明は、水力発電及び風力発電、地熱発電及び太陽光発電といった、自然エネルギーを活用しての大規模発電方法に関する。
【背景技術】
【０００２】  現在稼働中の、水力発電は水流の力を活用して発電、風力発電は風力を活用して発電、地熱発電はマグマの高熱を活用して発電、太陽光発電は太陽光線を電力に変換して発電、そして、変電設備を経由させ、各需要箇所へ供給している。
【先行技術文献】
【特許文献】
【０００３】
【非特許文献】
【０００４】
【非特許文献１】「四国電力ホームページ  水力発電の仕組み」
【非特許文献２】「南あわじ市ホームページ  風力発電のしくみ」
【非特許文献３】「富士電機株式会社ホームページ  特集・地熱発電の拡大」
【非特許文献４】「四国電力ホームページ  太陽光発電の仕組み」
【非特許文献５】「電気事業連合会ホームページ  でんきの情報広場  火力発電と原子力発電の違い」
【発明の概要】
【発明が解決しようとする課題】
【０００５】  従来の自然エネルギー活用による発電方法では、原子力発電及び火力発電のように大規模発電を行うことが出来ないながら、発電した電力を活用して再び発電を行うということをせず、一度の発電のみで電力供給している。【０００６】  原子力発電は、安価に大規模発電が可能と言われているものの、使用済み核燃料棒の処分には莫大な手間を要する。【０００７】  原子力発電所で事故が発生した際には、広範囲が放射能で汚染され、汚染された地域は長期間居住不可となり、その地域に居住していた住民の発癌確率は高まり、奇形児出産の可能性も高まり、そして、放射能は人間のみならず全生物に悪影響を及ぼすため、放射性物質を燃料とする原子力発電所は早期の全廃が求められている。【０００８】  火力発電所の燃料は石油であり、燃焼させることで二酸化炭素を多大に排出するため、地球温暖化の大きな一因である。【０００９】  原油はあと４０年で枯渇するとも言われており、近年は燃焼させても二酸化炭素排出量の少ない、液化天然ガスやメタンハイドレートを燃料としているものの、燃焼させることで二酸化炭素が発生する事実に変わりはない。【００１０】  天然資源は埋蔵量に限りがあり、いずれ枯渇してしまう事実は明らかであるため、火力発電所も早期に全廃することが望ましく、今後は、自然エネルギーのみ活用により電力需給を賄う技術が求められる。【００１１】  本発明は、自然エネルギーのみ活用により発電した電力を活用して国内の電力需給を賄うという、これからの電力需給方法であり、今後の地球環境保全及び海外情勢に左右されない電力の安定供給、そして、原子力発電所及び火力発電所の早期全廃の実現を目的としたものである。
【課題を解決するための手段】
【００１２】  電力で発電タービンが駆動する発電機（以下、電力発電機）を製造する。【００１３】  電力発電機の概要は次の通り。【００１４】  発電タービンが駆動するよう、発電機へ電気モーターを接続して、その電気モーターへ、自然エネルギー活用により発電した電力の一部を送電して電気モーターを駆動させ、それにより発電タービンが駆動することで発電する、という発電機。【００１５】  自然エネルギー活用により発電を行う施設の発電機以降の適切な箇所へ、電力発電機を複数台設置して、電力供給網に接続する。【００１６】  自然エネルギー活用により発電した電力を、供給する電力及び電力発電機を駆動させる電力に分電する。【００１７】  その分電した電力で電力発電機を駆動させ発電を行い、発電した電力を再び供給する電力及び電力発電機を駆動させる電力に分電して・・・という同様の発電及び送電方法を繰り返すことで、供給する電力を増幅させ、供給までに大規模電力とすることが可能である。
【発明の効果】
【００１８】  本発明は、燃料を一切必要としない発電方法であることから燃料費は不要であり、それにより電気料金の大幅な引き下げが可能となり、需要者側の負担が軽減することで物品購買が増えると予測され、更なる経済活性化が考えられる。【００１９】  自然エネルギー活用により発電した電力を分電して、電力発電機へ送電して再び発電を行う、という非常に安全な発電方法のため、原子力発電で有り得る、放射能漏れ事故といった、生物に多大な悪影響を及ぼす事故が起きることがなくなる。【００２０】  炉が核爆発を起こして大惨事に陥る、という重大事故の可能性がなくなる。【００２１】  火力発電で問題視されている、二酸化炭素の排出問題が解決されるため、天変地異が起きない限り、全生物が生きていく上で最重要課題である地球環境保全に大きく役立つことから、今後、世界中で必要とされる発電方法である。【００２２】  自然エネルギー活用により発電した電力を分電して、電力発電機へ送電して再び発電、という発電方法、すなわち、電力発電機を駆動させるための動力源は電力であり、例えば、電車は電力で電気モーターを駆動させることで、車体という重量物を迅速に駆動させることが可能など、電力は電動物と組み合わせることで大きな力を発生させることが可能である。【００２３】  本発明が提唱する、自然エネルギー活用による発電機から電力発電機へ送電する電力は小規模でも、電力発電機を駆動させることは可能であり、電力発電機では、駆動のために送電された電力を大きく上回る発電が可能であり、複数の電力発電機を経由させ、同様の発電及び送電方法を繰り返すことで、供給までには原子力発電以上の大規模電力とすることが可能である。【００２４】  稼動中の自然エネルギー活用による発電施設を基に、電力発電機を接続であれば、電力発電機の設計及び製造、そして、電力発電機を正常に作動させるために変電設備を増設する程度で利用可能となるため、原子力発電所及び火力発電所を建設するという莫大な費用及び時間を必要としないことから、安価に、そして早期に、本発明の電力需給環境に変換させることが可能である。【００２５】  小型電力発電機を製造して、家庭用など小型太陽光発電設備と接続することで、住居ごとの電力需給も可能となり、その環境が整った際には、今後予想される大地震など災害が起きたとしても、電力不足に陥ることがなくなる。【００２６】  電力発電機が普及した際には、国内全ての原子力発電所及び火力発電所を閉鎖、廃止することが可能となり、それにより、原子力規制委員会など原子力発電所を管轄する組織は不要となるため、多少なりとも国家予算の削減になる。【００２７】  現在、地球上は温暖化傾向にあり、しかし、今後は寒冷化するとも言われており、実際、温暖化及び寒冷化となり、全住居がエアコンを最強で使用するなどしたとしても、電力発電機が普及していれば電力需要を賄えると考えられる。【００２８】  太陽光発電設備と電力発電機は、食料及び医薬品とともに、発展途上国への政府開発援助物資として最適と考えられる。【００２９】  太陽光発電設備に電力発電機を接続して発電を行う方法は、今後の宇宙開発にも必要とされる発電方法である。
【図面の簡単な説明】
【００３０】
【図１】自然エネルギー活用により発電した電力を大規模電力に増幅させる接続方法１
【図２】自然エネルギー発電により発電した電力を大規模電力に増幅させる接続方法２
【図３】電力発電機
【図４】太陽光発電設備に接続した電力発電機で、２４時間発電を行う接続方法
【発明を実施するための形態】
【００３１】  電力発電機など必要設備の設計及び製造は、電気製品製造事業者へ依頼する。
【００３２】  電力発電機など必要設備の設置及び接続は、電気工事事業者へ依頼する。
【符号の説明】
【００３３】▲１▼電力（電気）
▲２▼電力発電機
▲３▼自然エネルギー活用による発電施設・設備
▲４▼電力需要箇所
▲５▼電気モーター
▲６▼発電機
▲７▼太陽光発電機・設備
▲８▼蓄電池・設備
【手続補正２】
【補正対象書類名】図面
【補正対象項目名】全図
【補正方法】追加
【補正の内容】
【図１】
2015039254.tif 000003
【図２】
2015039254.tif 000004
【図３】
2015039254.tif 000005
【図４】
2015039254.tif 000006
【手続補正３】
【補正対象書類名】特許請求の範囲
【補正対象項目名】全文
【補正方法】変更
【補正の内容】
【特許請求の範囲】
【請求項１】
自然エネルギー活用により発電した電力（電気）を、電力発電機に送電して発電タービンを駆動させ、電力発電機へ送電した電力以上の電力を発電して供給するという、自然エネルギー活用による電力を基とした発電及び送電方法（電力発電機を正常に駆動させるため、自然エネルギー活用により発電した電力を、いずれかの箇所で分電及び変電設備に経由させるも含まれるものとする）（接続方法は図の限りでない）
【請求項２】
電力を動力源として発電を行う、発電機の構想
【請求項３】
太陽光発電設備に蓄電設備及び電力発電機を接続して、夜間など、太陽光が途絶える時間帯でも、蓄電した電力で電力発電機を駆動させ電力需給を賄えるようにする接続方法